(57)【要約】      （修正有）【課題】表示のための駆動によるノイズを増加させることなく、高感度化及び高精度化を実現する表示装置及びその制御方法、プログラム、並び記憶媒体を提供する。【解決手段】表示装置は、複数の電極が交差して配置された複数のセンサ部を有するタッチパネル部を備える表示手段と、表示手段に表示する映像信号の更新周期を可変制御するフレームレート可変制御手段と、複数のセンサ部を順次駆動してタッチ検出用の検出信号を生成する検出手段を有する。可変手段により変更される映像信号の更新周期が短い場合に比べて長い場合Ｓ３０２ＹＥＳ、映像信号のブランキング期間での検出手段によるセンサ部の駆動回数が多くなるように、検出手段によるタッチ検出動作を制御するＳ３０４。【選択図】図３
2017045326.tif 000002
【特許請求の範囲】
【請求項１】
複数の電極が交差して配置された複数のセンサ部を有するタッチパネルを備える表示手段と、
前記表示手段に表示する映像信号の更新周期を可変制御する可変手段と、
前記複数のセンサ部を順次駆動してタッチ検出用の検出信号を生成する検出手段と、
前記可変手段により変更される前記映像信号の更新周期が短い場合に比べて長い場合の方が前記映像信号のブランキング期間での前記検出手段による前記センサ部の駆動回数が多くなるように前記検出手段によるタッチ検出動作を制御する制御手段と
を有することを特徴とする表示装置。
【請求項２】
前記制御手段は、前記可変手段により前記映像信号の更新周期が長くなるように変更された場合は、前記映像信号のブランキング期間での前記センサ部の駆動回数を増加し、前記映像信号の更新周期が短くなるよう変更された場合は、前記映像信号のブランキング期間での前記センサ部の駆動回数が減少するように前記検出手段を制御することを特徴とする請求項１に記載の表示装置。
【請求項３】
前記複数のセンサ部は、
複数の第１の電極と第２の電極が交差して配置され、前記第１の電極と前記第２の電極の交点において、前記タッチパネルへのタッチ操作に応じた検出信号を生成し、
前記第１の電極と前記第２の電極のいずれかが、前記表示手段の画素を駆動するための電極と共通とされ、
前記検出手段は、
前記第１の電極と前記第２の電極のいずれか一方を走査線とし、もう一方を読出線として、前記走査線を前記映像信号のブランキング期間に所定の回数だけ駆動する駆動手段と、
前記走査線を駆動することで前記読出線から出力される検出信号を積算する積分手段と、
前記積算された検出信号と所定の閾値とを比較してタッチ検出を行う判定手段と、を含み、
前記制御手段は、前記可変手段により前記映像信号の更新周期が長くなるように変更された場合は、前記映像信号のブランキング期間での前記積分手段による積算回数が増加するように前記走査線の駆動回数を変更し、前記映像信号の更新周期が短くなるよう変更された場合は、前記映像信号のブランキング期間での前記積分手段による積算回数が減少するように前記走査線の駆動回数を変更することを特徴とする請求項２に記載の表示装置。
【請求項４】
前記可変手段は、前記表示手段の画素に出力する映像信号の垂直同期信号及び水平同期信号の周波数のみを変更し、映像信号のクロック周波数は変更せずに更新周期の変更を行うことを特徴とする請求項１乃至３のいずれか１項に記載の表示装置。
【請求項５】
連続する画像内の被写体の動きベクトルを検出することで動体の有無、及び、動体が移動する速度を取得する取得手段を更に有し、
前記可変手段は、前記取得手段により得られた動体の動きに応じて更新周期を変更することを特徴とする請求項１乃至４のいずれか１項に記載の表示装置。
【請求項６】
前記可変手段は、前記動体の動きが少ない或いは動体の移動する速度が遅い場合の更新周期を、前記動体の動きが多い或いは動体の移動する速度が速い場合の更新周期より長くすることを特徴とする請求項５に記載の表示装置。
【請求項７】
前記可変手段は、前記動体の動きがない場合の更新周期を、前記動体の動きがある場合の更新周期より長くすることを特徴とする請求項５に記載の表示装置。
【請求項８】
前記可変手段は、撮像手段で撮像されたライブビュー画像の表示、動画の再生表示、表示物のスクロール表示のいずれでもない表示を前記表示手段で行う場合には、撮像手段で撮像されたライブビュー画像の表示、動画の再生表示、表示物のスクロール表示の少なくとも１つを行う場合に比べて、更新周期を長くすることを特徴とする請求項１乃至４のいずれか１項に記載の表示装置。
【請求項９】
前記可変手段による映像信号の更新周期がユーザにより選択可能であることを特徴とする請求項１乃至８のいずれか１項に記載の表示装置。
【請求項１０】
前記タッチパネルのタッチ検出機能がオフに設定されている場合、前記可変手段は、映像信号の更新周期の変更を行わないことを特徴とする請求項１乃至９のいずれか１項に記載の表示装置。
【請求項１１】
複数の電極が交差して配置された複数のセンサ部を有するタッチパネルを備える表示手段と、
前記表示手段に表示する映像信号の更新周期を可変制御する可変手段と、
前記複数のセンサ部を順次駆動してタッチ検出用の検出信号を生成する検出手段とを有する表示装置の制御方法であって、
前記可変手段により変更される前記映像信号の更新周期が短い場合に比べて長い場合の方が前記映像信号のブランキング期間での前記検出手段による前記センサ部の駆動回数が多くなるように前記検出手段によるタッチ検出動作を制御するステップを有することを特徴とする表示装置の制御方法。
【請求項１２】
コンピュータを、請求項１乃至１０のいずれか１項に記載された表示装置の各手段として機能させるためのプログラム。
【請求項１３】
コンピュータを、請求項１乃至１０のいずれか１項に記載された表示装置の各手段として機能させるためのプログラムを格納したコンピュータが読み取り可能な記憶媒体。
【発明の詳細な説明】
【技術分野】
【０００１】
本発明は、タッチパネルを有する表示装置及びその制御方法に関する。
【背景技術】
【０００２】
スマートフォンやデジタルカメラなどのモバイル機器において、画面を表示しながら直感的に操作できる利便性から、タッチパネルが搭載されたものが多くなっている。特に、静電容量式のタッチパネルにおいて、液晶表示パネルに実装されている共通電極をタッチセンサ用の電極と兼用する、インセルタッチパネルと呼ばれる表示装置が提案されている（特許文献１）。インセルタッチパネルは、タッチパネル部に格子状に配置される複数の列電極又は行電極の一方を、表示パネル部に設けられた共通電極と兼用することで、タッチセンサ用電極を形成するためのガラス基板層或いはフィルム基板層を削減することができる。これにより、表示装置の薄型化が可能となり、モバイル機器の小型化や軽量化を実現することがきる。
【０００３】
また、静電容量式のタッチパネルは、表示対象画素への画素信号の書き込みの際に、書き込み動作に起因するノイズがタッチパネル部に伝搬し、誤動作を起こすおそれがあるため、タッチパネルと表示装置の間に透明な導電層（シールド層）が設けられている。
【０００４】
しかしながら、上記特許文献１のインセルタッチパネルでは、表示装置の共通電極をタッチセンサ用電極と兼用しているため、構造的にシールド層を設けることができない。これに対して、特許文献２では、表示画素への画素信号の書き込みを行っていないタイミングで、走査線の駆動及び読出線からの容量検出（スキャン）を行うことで、画素信号の書き込み動作に起因するノイズによるタッチパネルの誤動作を抑制している。
【０００５】
静電容量式のタッチパネルでは、接触面積に応じて発生する容量が変化するが、１つの電極当たりの静電容量の変化量は微小である。このため、通常は行電極と列電極の１つの交点のスキャン（１スキャン）につき複数回の容量検出（サブスキャン）を行い、これらを積算することで発生容量を算出している。このように１スキャン当たりのサブスキャン回数を増加させることで、高感度化、高精度化が見込めるようになる。
【先行技術文献】
【特許文献】
【０００６】
【特許文献１】特開２００９−２４４９５８号公報
【特許文献２】特開２０１２−２２１４２３号公報
【発明の概要】
【発明が解決しようとする課題】
【０００７】
しかしながら、上記特許文献２では、表示画素への画素信号の書き込みを行っていないタイミングでスキャンを行う必要があるため、一般的な静電容量式のタッチパネルと比較して、１スキャン当たりのサブスキャン回数が減少する。１スキャン当たりのサブスキャン回数が減少すると、検出容量の積算回数が減少し、検出感度や検出信号のＳ／Ｎを向上させることが難しくなる。
【０００８】
本発明は、上記課題に鑑みてなされ、その目的は、表示のための駆動によるノイズを増加させることなく、高感度化及び高精度化を実現することである。
【課題を解決するための手段】
【０００９】
上記課題を解決し、目的を達成するために、本発明の表示装置は、表示装置は、複数の電極が交差して配置された複数のセンサ部を有するタッチパネルを備える表示手段と、前記表示手段に表示する映像信号の更新周期を可変制御する可変手段と、前記複数のセンサ部を順次駆動してタッチ検出用の検出信号を生成する検出手段と、前記可変手段により変更される前記映像信号の更新周期が短い場合に比べて長い場合の方が前記映像信号のブランキング期間での前記検出手段による前記センサ部の駆動回数が多くなるように前記検出手段によるタッチ検出動作を制御する制御手段とを有する。
【発明の効果】
【００１０】
本発明によれば、表示のための駆動によるノイズを増加させることなく、高感度化及び高精度化を実現することができる。
【図面の簡単な説明】
【００１１】
【図１】本実施形態の撮像装置の構成を示すブロック図。
【図２】本実施形態のタッチパネル部の詳細な構成を示すブロック図。
【図３】本実施形態のフレームレート変更の対象又は非対象となる画像を例示する図。
【図４】本実施形態によるタッチ検出動作を示すフローチャート。
【図５】本実施形態のフレームレート変更前における映像信号の垂直同期信号及び水平同期信号と、画素信号及び行電極の駆動信号を示すタイミングチャート。
【図６】本実施形態のフレームレート変更後における映像信号の垂直同期信号及び水平同期信号と、画素信号及び行電極の駆動信号を示すタイミングチャート。
【発明を実施するための形態】
【００１２】
以下に、本発明の表示装置として、タッチパネルが実装された表示装置を有する、レンズ交換式の一眼レフデジタルカメラなどの撮像装置に適用した実施の形態について、添付図面を参照して詳細に説明する。
【００１３】
＜装置構成＞図１を参照して、本実施形態のデジタルカメラの構成及び機能について説明する。
【００１４】
本実施形態のデジタルカメラ１００は、ＣＣＤやＣＭＯＳ等で構成される撮像素子１０１を有し、レリーズスイッチ１０７を押すことで、不図示の交換レンズを介して結像された被写体の光学像を電気信号に変換し、アナログ信号の画像信号が読み出される。
【００１５】
Ａ／Ｄ変換部１０２は、撮像素子１０１から出力されるアナログ信号をデジタル信号に変換する。Ａ／Ｄ変換部１０２で変換されたデジタル信号は、メモリ制御部１０４及びシステム制御部１０５の制御により、メモリ１０６に格納される。
【００１６】
画像処理部１０３は、Ａ／Ｄ変換部１０２からのデータ或いはメモリ制御部１０４からのデータに対して所定の画素補間処理や色変換処理を行う。
【００１７】
メモリ制御部１０４は、Ａ／Ｄ変換部１０２、画像処理部１０３、システム制御部１０５、メモリ１０６、表示装置１１２の間でデータの受け渡しを制御する。
【００１８】
システム制御部１０５は、デジタルカメラ１００全体を制御するＣＰＵやＭＰＵを含む。
【００１９】
メモリ１０６は、ＲＡＭであり、システム制御部１０５のプログラムスタック領域、ステータス記憶領域、演算用領域、ワーク用領域、画像表示データ用領域が確保されている。システム制御部１０５は、メモリ１０６の演算用領域を利用して各種の演算処理を実行する。
【００２０】
レリーズスイッチ１０７、モード切替スイッチ１０８及び操作部１０９は、ユーザからの各種操作を受け付ける各種スイッチ、ボタン、タッチパネル等の操作部材からなり、システム制御部１０５に各種の動作指示を入力する。
【００２１】
モード切替スイッチ１０８は、システム制御部１０５の動作モードを静止画撮影モード、動画記録モード、再生モード等のいずれかに切り替える。
静止画撮影モードには、オート撮影モード、マニュアルモード、撮影シーン別の撮影設定となる各種シーンモード、プログラムＡＥモード、撮像素子１０１から得られた画像データ（スルー画像）をリアルタイムに表示するライブビューモード等が含まれる。
【００２２】
操作部１０９は、表示装置１１２に表示される種々の機能アイコンを選択操作することなどにより、シーンごとに適宜機能が割り当てられ、各種機能ボタンとして作用する。
【００２３】
レリーズスイッチ１０７は、操作途中、いわゆる半押し（撮影準備指示）でオンとなり第１シャッタースイッチ信号ＳＷ１を発生する。システム制御部１０５は、第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。また、レリーズスイッチ１０７は、操作完了、いわゆる全押し（撮影指示）でオンとなり、第２シャッタースイッチ信号ＳＷ２を発生する。システム制御部１０５は、第２シャッタースイッチ信号ＳＷ２により、撮像素子１０１からの信号読み出しから外部メモリ１１１に画像データを書き込むまでの一連の撮影処理の動作を開始する。
【００２４】
不揮発性メモリ１１０は、電気的に消去・記憶可能なメモリであり、例えばフラッシュメモリやＥＥＰＲＯＭ等が用いられる。不揮発性メモリ１１０には、撮影状態の保存や、デジタルカメラ１００を制御するプログラム等が格納されている。
【００２５】
外部メモリ１１１は、画像データ等を格納するＣＦカードやＳＤカード等の着脱可能な記録媒体である。
【００２６】
表示装置１１２は、画像や各種情報を表示する液晶表示パネル（ＬＣＤ）等からなり、表示パネル部１１３とバックライト部１１４とタッチパネル部１１５を備える。表示パネル部１１３は、システム制御部１０５からの制御信号により、メモリ１０６の画像表示データ用領域に格納されたメニュー画面や外部メモリ１１１に格納された静止画や動画などの映像データを表示する。バックライト部１１４は、表示パネル部１１３を照明する。タッチパネル部１１５には、例えば静電容量式のタッチ検出方式が用いられる。静電容量式のタッチパネルは、タッチパネル面に複数の列電極と行電極が直交するように格子状に配置されている。詳細は後述するが、本実施形態においては、行電極は表示パネル部１１３のコモン駆動信号ＶＣＯＭを印加するための電極と共通となっている。これにより、タッチセンサ用電極を形成するためのガラス基板層或いはフィルム基板層を削減でき、表示装置１１２の薄型化を実現している。
【００２７】
加速度センサ１１６は、デジタルカメラ１００の姿勢や動きを加速度情報として検出する。
【００２８】
動体検知部１１７は、撮像画面内の被写体の動きを検出する。動体検知部１１７は、例えば、連続して撮影されたＮフレーム目の画像とＮ−１フレーム目の画像を比較して、動きベクトル成分を抽出する。抽出した動きベクトル成分から、加速度センサ１１６により検出されたカメラ１００の動きにより発生した動きベクトル成分を差し引くことで、被写体の動きベクトル成分のみを検出できる。検出した動きベクトルをグルーピングし、撮像画面内である一定の面積以上の動きベクトル成分の集合を動体として検出する。また、検出された動体の移動量とフレームレートから動体の速度の算出も行う。
【００２９】
フレームレート可変制御部１１８は、表示装置１１２の映像更新周期（フレームレート）を可変制御する。フレームレート可変制御部１１８は、システム制御部１０５からの制御信号により、表示パネル部１１３へ出力する垂直同期信号ＶＳＹＮＣ及び水平同期信号ＨＳＹＮＣの周波数を変更することで表示装置１１２を所定のフレームレートで駆動する。
【００３０】
＜タッチパネル部の構成＞次に、図２を参照して、本実施形態の表示装置１１２のタッチパネル部１１５の詳細な構成について説明する。
【００３１】
タッチパネル部１１５は、静電容量式のタッチ検出方式が用いられ、タッチパネル面に複数の列電極２１４と行電極２１５が直交するように格子状に配置される。行電極２１５は走査線、列電極２１４は読出線として使用される。行電極２１５は、表示パネル部１１３のコモン駆動信号ＶＣＯＭを印加するための電極と共通となっている。このコモン駆動信号ＶＣＯＭは、表示パネル部１１３の不図示の画素電極に印加される画素電圧と共に各画素の表示電圧を決定する。このため、行電極２１５は表示パネル部１１３のＴＦＴ（Ｔｈｉｎ Ｆｉｌｍ Ｔｒａｎｓｉｓｔｏｒ)基板上に形成されている。一方で、列電極２１４は、表示パネル部１１３の不図示のカラーフィルタガラス基板上に形成される。
【００３２】
図２（ｂ）は、図２（ａ）の列電極２１４と行電極２１５が交差する交点部分Ａの拡大図である。行電極２１５は定電流回路２１７に接続され、列電極２１４は所定の電位に固定される。定電流回路２１７により微弱な電流が流されると、列電極２１４及び行電極２１５間に発生する相互容量２１６に電荷が蓄積される。列電極２１４と行電極２１５が交差する１つの交点（以下、１交点）につき複数回駆動して電荷の蓄積を実施するサブスキャンを行い、これらの積分回路２１８で積算して静電容量を算出する。１交点当たりの１スキャンの検出信号値は、ＡＤコンバータ２１９によりデジタル信号に変換される。このタッチ検出用の検出信号値の変化量を静電容量の変化量として算出することでタッチ操作の有無を判定することが可能である。
【００３３】
制御回路２１０は、外部クロック入力或いは内部発振回路を源振として、クロック信号を生成するためのＰＬＬ（Ｐｈａｓｅ Ｌｏｃｋｅｄ Ｌｏｏｐ）回路を内蔵している。ＰＬＬ回路により、１スキャンの周期或いは１サブスキャンの周期を変更することが可能である。
【００３４】
走査線駆動回路２１１及び検出信号処理回路２１２は、制御回路２１０により供給されるクロック信号により駆動される。制御回路２１０は検出信号処理回路２１２により出力された各電極の検出信号値が、所定のタッチ検出判定閾値を超えているか否かを判定し、超えているならばタッチ検出フラグをセットして、データをメモリ１０６に順次転送する。１フレームのスキャンが完了すると、メモリ１０６に格納された１フレームの検出データから、タッチ検出領域のグルーピング及びタッチ位置の重心演算を行い、タッチ検出数とタッチ検出座標を算出する。
【００３５】
走査線駆動回路２１１は、走査線Ｙ０〜Ｙ８を順次選択し駆動する。選択された走査線には、定電流回路２１７により微弱な電流が流される。１走査線当たりの駆動回数（サブスキャン回数）は、システム制御部１０５から制御回路２１０への制御信号により、任意に変更することが可能である。
【００３６】
検出信号処理回路２１２は、読出線Ｘ０〜Ｘ１２を順次選択して検出信号を読み出す。
【００３７】
＜タッチ検出動作＞次に、図３から図６を参照して、本実施形態の表示装置１１２に対するタッチ検出動作について説明する。
【００３８】
なお、図３の処理は、不揮発性メモリ１１０に格納されたプログラムをメモリ１０６に展開してシステム制御部１０５が実行することにより実現される。
【００３９】
Ｓ３０１では、システム制御部１０５は、タッチ機能のオン／オフ設定を判定し、タッチ機能がオンに設定されている場合はＳ３０２に進み、タッチ機能がオフに設定されている場合はタッチ感度を上げる必要がないため処理を終了する。
【００４０】
Ｓ３０２では、システム制御部１０５は、加速度センサ１１６及び動体検知部１１７により取得した画像内の被写体の動きや速度に基づいて、表示装置１１２に表示されている画像が、動きの少ない画像か否かを判定し、動きの少ない画像の場合はＳ３０３に進み、そうでない場合はＳ３０５に進む。画像の動きは、動体検知部１１７によって検出された画像内の被写体である動体の速度が所定の閾値以下であるか否かに基づいて判定される。図４（ａ）はライブビューモードにおいて、動きが速い或いはよく動く被写体（図示の例では、犬）を撮像した画像を例示している。このような画像は、動きの少ない画像ではないと判定される。図４（ｂ）はライブビューモードにおいて、動きの少ない或いは動きの遅い被写体（図示の例では、木）を撮像した画像を例示している。また、図４（ｃ）はカメラ１００による動きのない画像として、シャッタースピードや絞り、ＩＳＯ感度などの各種撮影条件の設定画面を例示している。図４（ｂ）や図４（ｃ）のような画像は、動きの少ない画像として判定される。
【００４１】
Ｓ３０３では、システム制御部１０５は、Ｓ３０２において動きの少ない画像が表示されていると判定されたことに応じて、フレームレート可変制御部１１８により表示装置１１２のフレームレートを下げる。なお、図４（ａ）のような動きの速い画像を表示している場合、表示装置１１２のフレームレートを下げてしまうと動きが滑らか表示されないため、ユーザが視覚的に違和感を覚える可能性が高い。しかしながら、図４（ｂ）や図４（ｃ）のような、動きの少ない画像を表示している場合には、表示装置１１２のフレームレートを遅くしてもユーザは視覚的に違和感を覚えにくい。
【００４２】
フレームレート可変制御部１１８は、表示パネル部１１３へ出力する垂直同期信号ＶＳＹＮＣ及び水平同期信号ＨＳＹＮＣの周波数を下げることにより、フレームレートの変更を行う。例えば、通常はフレームレートが６０ｆｐｓで動作している場合、垂直同期信号ＶＳＹＮＣと水平同期信号ＨＳＹＮＣの周波数を共に１／２に下げることで、フレームレートを１／２の３０ｆｐｓに下げることが可能となる。なお、この場合、画像信号のクロック周波数は下げない。
【００４３】
図５（ａ）はフレームレート変更前における、表示パネル部１１３へ出力する映像信号の垂直同期信号ＶＳＹＮＣ及び水平同期信号ＨＳＹＮＣと、サブスキャンを行う場合の各行電極２１５に対する駆動信号Ｙ０〜Ｙ８を示している。行電極２１５の駆動は、水平同期信号ＨＳＹＮＣに同期し、且つ画素電極へ画素信号が書き込まれていないタイミング（水平ブランキング期間）に行われる。図５（ｂ）は水平同期信号ＨＳＹＮＣと、画素信号及び行電極Ｙｉの駆動信号との関係を例示しており、水平ブランキング期間に行電極２１５の駆動信号Ｙｉ（ｉ＝０〜８）が出力される。これにより、画素信号書き込み時のノイズにより静電容量の検出信号値が変動してしまうことを抑制することができる。
【００４４】
しかしながら、水平ブランキング期間は短く、１水平同期信号ＨＳＹＮＣに対して数回のサブスキャンしか行うことしかできない。表示パネル部１１３の画素数が多くなると、それだけ画素信号が増加し、水平ブランキング期間は更に短くなる。その結果、１水平同期信号ＨＳＹＮＣに対するサブスキャンの回数が減少してしまいタッチパネルの高感度化、高精度化が困難となる。
【００４５】
そこで、本実施形態では、表示装置１１２のフレームレートを下げ、水平ブランキング期間を長くすることでサブキャン回数（積分回路２１８における積算回数）を増加させることで、タッチパネルの高感度化、高精度化を実現している。
【００４６】
図３に戻り、Ｓ３０４では、システム制御部１０５は、１水平同期信号ＨＳＹＮＣ当たりのサブスキャン回数を増加する。
【００４７】
図６（ａ）は、フレームレート及びサブスキャン回数を変更した場合の、表示パネル部１１３へ出力する映像信号の垂直同期信号ＶＳＹＮＣ及び水平同期信号ＨＳＹＮＣと、サブスキャンを行う場合の各行電極２１５に対する駆動信号Ｙ０〜Ｙ８を示している。図６（ａ）では、図５（ａ）のフレームレート及びサブスキャン回数の変更前と比較して、１垂直同期信号ＶＳＹＮＣ及び１水平同期信号ＨＳＹＮＣの期間が長くなり、１水平同期信号ＨＳＹＮＣの水平ブランキング期間でのサブスキャン回数が増加している。図６（ｂ）はフレームレート及びサブスキャン回数変更後の水平同期信号ＨＳＹＮＣと、画素信号及び行電極Ｙｉの駆動信号の関係を例示している。Ｓ３０３においてフレームレートを変更する場合に、垂直同期信号ＶＳＹＮＣ及び水平同期信号ＨＳＹＮＣの周波数のみを変更し、画像信号のクロック周波数は変更していないため、画像信号が書き込まれる期間（有効表示期間）はフレームレート変更前と変わらず、水平同期信号ＨＳＹＮＣの周期が長くなった分だけ水平ブランキング期間も長くなる。そのため、１水平同期信号ＨＳＹＮＣに対するサブスキャン回数を増加することが可能となる。
【００４８】
フレームレート変更後の１水平同期信号ＨＳＹＮＣ当たりのサブスキャン回数は、例えば以下の式１から算出される。
【００４９】
Ｃａ＝Ｃｂ×｛（１／Ｋ）×Ｈ−ｄ｝／（Ｈ−ｄ）・・・（１）
ここで、Ｃａ及びＣｂは、それぞれフレームレート変更後及び変更前における各行電極の１水平同期信号ＨＹＮＣ当たりのサブスキャン回数を表している。Ｈは１フレームの水平同期信号の数、ｄは１Ｈあたりの有効表示期間の画像信号数、Ｋはフレームレート変更比率を表している。
【００５０】
例えば、Ｈ＝４５０、ｄ＝４２０、Ｃｂ＝１０の場合に、フレームレートを１／２に下げた場合、Ｋ＝１／２となるため、フレームレート変更後のサブスキャン回数はＣａ＝１６０となる。上述した方法により、フレームレートを下げることで延長されたブランキング期間を用いて各行電極の１水平同期信号ＨＳＹＮＣ当たりのサブスキャン回数を増加することができる。
【００５１】
図３に戻り、Ｓ３０５では、システム制御部１０５は、Ｓ３０４におけるサブスキャン回数の変更後に、カメラ１００の動作モードが変更されるなどにより表示画像が変更されたか否かを判定する。判定の結果、表示画像に変更がある場合はＳ３０６に進み、表示画像に変更がない場合は引き続き、Ｓ３０３及びＳ３０４で変更したままのフレームレート及びサブスキャン回数で処理を継続する。
【００５２】
Ｓ３０６では、システム制御部１０５は、Ｓ３０２と同様に、変更後の表示画像が、動きの少ない画像か否かを判定し、動きの少ない画像でない場合はＳ３０７に進み、動きの少ない画像の場合はＳ３０５に戻り、Ｓ３０３及びＳ３０４で変更したままのフレームレート及びサブスキャン回数での処理を継続する。
【００５３】
Ｓ３０７では、システム制御部１０５は、変更後の表示画像が動きの多い或いは速い画像であるので、１水平同期信号ＨＳＹＮＣでのサブスキャン回数を低減し、Ｓ３０４でサブスキャン回数を増加する前の状態に戻す。
【００５４】
Ｓ３０８では、システム制御部１０５は、表示装置１１２のフレームレートをＳ３０３でフレームレートを下げる前の状態に戻す。具体的には、Ｓ３０３と同様に、垂直同期信号ＶＳＹＮＣと水平同期信号ＨＳＹＮＣの周波数を上げ、Ｓ３０３で周波数を下げる前の状態に戻す。このように、垂直同期信号ＶＳＹＮＣと水平同期信号ＨＳＹＮＣの周波数を上げ、フレームレートを下げる前の状態に戻すことによって動体が滑らかに動き、ユーザに違和感を与えないように表示することができる。
【００５５】
なお、上記式１で算出される、フレームレートを下げた場合の１水平同期信号ＨＳＹＮＣ当たりのサブスキャン回数Ｃａは、増やすことができる最大値であるので、実現したい感度に応じて、Ｃｂ〜Ｃａの範囲内で適切な値を設定してもよい。
【００５６】
また、ユーザによっては動きの遅い画像であっても、フレームレートを下げずに表示することを望む場合が考えられるので、フレームレートを変更するか否かをユーザが選択可能にしてもよい。また、ライブビュー表示のフレームレートを変更するか否かをユーザが選択可能（予め選択して設定しておくことが可能）としてもよい。ライブビュー表示のフレームレートの設定により、フレームレートの変更をしないと設定しておいた場合は、ライブビュー表示中であれば動きの遅い画像であってもフレームレートを下げずに表示し、ライブビュー表示中で無い場合は動きの遅い画像を表示しているとフレームレートを落としてタッチ操作の感度、操作感を向上させることができる。ライブビュー表示中は、撮影のシャッタータイミングを計っている場面であり、ライブビューのフレームレートが落ちてしまうと、動きの速い被写体のシャッタータイミングを逃してしまう可能性がある。しかしライブビュー表示のフレームレートの設定により、フレームレートの変更をしないように設定しておくことで動きの速い被写体のシャッタータイミングを逃してしまう可能性を低減することができる。また、ライブビュー表示中は上述のように撮影のシャッタータイミングを計っている場面であるため、タッチ操作による操作はさほど多くは行われないため、タッチ操作の感度を上げずとも、ユーザに操作感の不具合を感じさせる可能性が低い。逆に、ライブビュー表示をしていないメニュー画面の設定画面や、光学ファインダでの撮影を行っている際の設定画面をユーザが見る場合は、撮影設定を素早く変更する操作を行うことがある。そのためタッチ操作に対する感度、追随性などが低いとユーザに不便を感じさせるおそれがある。このような設定画面は動きの遅い画像の表示であり、本実施形態によればフレームレートを落としてサブスキャン回数を上げるので、操作感を向上させることができる。すなわち、撮像装置の撮影設定画面であれば、素早い撮影設定の変更を可能とし、撮影設定操作の遅れに起因して撮影機会を逸する可能性を低減することができる。
【００５７】
さらに、Ｓ３０２及びＳ３０６の判定では、動きの少ない画像を表示しているか否かの判定を、画像内の動体の速度に応じて判定するものとして説明したが、画像内の動体の速度を検知することなく、以下のように判別してもよい。すなわち、表示装置１１２にライブビュー画像を表示しているか否かの判定を行い、ライブビュー画像を表示している場合は動きのある画像を表示しているものとしてＳ３０２、Ｓ３０６をそれぞれＮｏと判定する。ライブビュー画像を表示していない場合は動きの少ない画像を表示しているものとしてＳ３０２、Ｓ３０６をそれぞれＹｅｓと判定する。あるいは、表示装置１１２に動画を再生表示しているか否かの判定を行い、動画を再生表示している場合は動きのある画像を表示しているものとしてＳ３０２、Ｓ３０６をそれぞれＮｏと判定する。動画を再生表示している場合は動きの少ない画像を表示しているものとしてＳ３０２、Ｓ３０６をそれぞれＹｅｓと判定する。また、ライブビューと動画の双方の判定を行い、表示装置１１２にてライブビュー表示あるいは動画再生表示の少なくとも一方を行っている場合は動きのある画像を表示しているものとしてＳ３０２、Ｓ３０６をそれぞれＮｏと判定する。ライブビュー表示あるいは動画再生表示のいずれも行っていない場合は動きの少ない画像を表示しているものとしてＳ３０２、Ｓ３０６をそれぞれＹｅｓと判定する。また、Ｓ３０２及びＳ３０６の判定を、表示装置１１２に表示している表示物のスクロール速度に基づいた判定としてもよい。すなわち、表示物をスクロールしているか否か、および／またはスクロール速度の判定を行い、表示物をスクロールしている、あるいは所定速度以上でスクロールしている場合には動きのある画像を表示しているものとしてＳ３０２、Ｓ３０６をそれぞれＮｏと判定する。表示物をスクロールしていない、あるいは表示物をスクロールしているが所定速度未満である場合には動きの少ない画像を表示しているものとしてＳ３０２、Ｓ３０６をそれぞれＹｅｓと判定する。表示物のスクロールは、例えばユーザによるスクロール操作（ボタン操作や、タッチ操作によるドラッグ、フリック、スワイプなどの操作）によって行われる。表示物のスクロールの判定と、上述のライブビュー表示／動画再生表示の判定を組み合わせてももちろん良い。その場合、ライブビュー表示、動画再生表示、スクロール表示／所定速度以上のスクロール表示の少なくとも１つが行われている場合には動きのある画像を表示しているものとしてＳ３０２、Ｓ３０６をそれぞれＮｏと判定する。ライブビュー表示、動画再生表示、スクロール表示／所定速度以上のスクロール表示のいずれも行われていない場合には動きの少ない画像を表示しているものとしてＳ３０２、Ｓ３０６をそれぞれＹｅｓと判定する。すなわち、撮像手段で撮像されたライブビュー画像の表示、動画の再生表示、表示物のスクロール表示のいずれでもない表示を行う場合には、撮像手段で撮像されたライブビュー画像の表示、動画の再生表示、表示物のスクロール表示の少なくとも１つを行う場合に比べて、更新周期を長くし、１水平同期信号ＨＳＹＮＣでのサブスキャン回数を増加させる。
【００５８】
また、本実施形態では、静電容量式のタッチ検出方式を用いたが、本発明はこれに限定されず、走査線によりセンサ部を順次駆動する方式のタッチパネルであれば、タッチ検出方式に関わらず適用可能である。当然ながら、電極数や電極の構成、タッチ検出方法に限定されるものではない。例えば、ＡＤコンバータや積分回路の構成、データ変換の順番、有無に至るまで限定されるものではない。本実施形態ではインセルタッチパネルと呼ばれる構成を採用したが、それ以外の方式のタッチパネルにおいても適用が可能である。
【００５９】
なお、システム制御部１０５の制御は１つのハードウェアが行ってもよいし、複数のハードウェアが処理を分担することで、装置全体の制御を行ってもよい。
【００６０】
また、本発明をその好適な実施形態に基づいて詳述してきたが、本発明はこれら特定の実施形態に限られるものではなく、この発明の要旨を逸脱しない範囲の様々な形態も本発明に含まれる。
【００６１】
また、上述した実施形態においては、本発明をレンズ交換式の一眼レフデジタルカメラに適用した場合を例に説明したが、本発明はこの例に限定されず、表示装置にタッチ検出機能が実装された装置であれば適用可能である。すなわち、本発明は、パーソナルコンピュータやその一種であるタブレット、携帯電話やその一種であるスマートフォン（眼鏡型端末や腕時計型端末を含む）、ＰＤＡ（携帯情報端末）、携帯型の画像ビューワ、表示装置を備えるプリンタ、デジタルフォトフレーム、音楽プレーヤ、ゲーム機、電子ブックリーダ、ファクシミリや複写機などのＯＡ機器、心電図や血圧計などの医療機器、ＡＴＭ（現金自動預け払い機）などに適用可能である。
【００６２】
［他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６３】
１０５…システム制御部、１１８…フレームレート可変制御部、１１２…表示装置、１１５…タッチパネル部、２１４…列電極、２１５…行電極
【図１】
2017045326.tif 000003
【図２】
2017045326.tif 000004
【図３】
2017045326.tif 000005
【図４】
2017045326.tif 000006
【図５】
2017045326.tif 000007
【図６】
2017045326.tif 000008